(57)【要約】【課題】センサの取付座の位置ズレを防止して、センサが記録媒体を高精度に検知することが可能な画像記録装置を提供する。【解決手段】プリンタ部１５に設けられた搬送路３１は、給紙カセット１４から上方へ湾曲した第１搬送路３２と、第１搬送路３２から前方へ延びる直線状の第２搬送路３３と、第２搬送路３３から第１搬送路３２の途中の接続口３４Ａに接続された反転搬送路３４とを有する。接続口３４Ａから第１搬送路３２の終端までの経路の内側に内側ガイド部材３２Ａ２が設けられている。内側ガイド部材の両端部は、メインフレーム６５の第１フレーム２５に固定されている。内側ガイド部材の長手方向の延長線上であって、第１フレーム２５の外側にセンサ６８のセンサホルダ９２が設けられている。【選択図】図６
2012076270.tif 000002
【特許請求の範囲】
【請求項１】
互いに対向する一対のサイドプレート、及び上記サイドプレート間に設けられ、幅方向の両端部が上記サイドプレートに支持されたベースプレートを有するメインフレームと、
上記サイドプレート間に設けられ、記録媒体が案内される案内経路を形成するガイド部材と、
上記ガイド部材の幅方向の一方端よりも上記サイドプレートを幅方向外側へ越えた位置に設けられ、当該サイドプレートに外側から固定された支持部材と、
上記支持部材に設けられ、上記案内経路を通過する記録媒体を検知するためのセンサと、を具備する画像記録装置。
【請求項２】
上記案内経路は、記録媒体に対して画像を記録する記録部の下側に設けられた用紙トレイの一方端から上方へ延びる湾曲状の第１経路を有し、
上記ガイド部材は、上記第１経路の内側に設けられている請求項１に記載の画像記録装置。
【請求項３】
上記案内経路は、上記第１経路の終端から上記記録部側へ延びる直線状の第２経路、及びこの第２経路に設けられた分岐点から上記第２経路と上記用紙トレイとの間を通って上記第１経路の途中に設けられた合流点に接続された第３経路を有し、
上記ガイド部材は、上記第１経路において上記合流点から上記第１経路の終端へ向かう経路の内側に設けられている請求項２に記載の画像記録装置。
【請求項４】
上記メインフレームは、上記ベースプレートの上側に設けられ、幅方向の両端部が上記サイドプレートに支持されたサブプレートを有し、
上記ガイド部材は、記録媒体を案内するガイド面の反対側の端部が上記サブプレートに固定されている請求項１から３のいずれかに記載の画像記録装置。
【請求項５】
上記サイドプレートの上端で支持され、記録媒体に対して画像を記録する記録部を上記サイドプレートよりも幅方向外側まで移動可能に支持する支持プレートを更に備え、
上記支持部材は、上記支持プレートにおいて上記サイドプレートを幅方向外側へ越えた部分に固定されている請求項１から４のいずれかに記載の画像記録装置。
【請求項６】
上記ガイド部材において記録媒体を案内するガイド面の反対側で回動可能に支持され、上記支持部材側の端部が上記サイドプレートを越えて幅方向外側へ延出された支軸と、
上記ガイド部材の幅方向中央部から上記案内経路へ突出するように上記支軸に固定された第１検出子と、
上記支軸の上記支持部材側の端部に固定され、上記センサの検知領域を通過可能に配置された第２検出子と、を更に備える請求項１から５のいずれかに記載の画像記録装置。
【発明の詳細な説明】
【技術分野】
【０００１】
本発明は、互いに対向する一対のサイドプレート及びサイドプレートによって両端部が支持されたベースプレートを有するメインフレームを備えた画像記録装置に関し、特に、搬送される記録媒体を検知するためのセンサの取付機構に関する。
【背景技術】
【０００２】
従来より、記録用紙の両面に画像を記録可能な画像記録装置が公知である。この画像記録装置によれば、片面記録時は、片面に画像が記録された後に記録用紙が排出される。一方、両面記録時は、片面に画像が記録された記録用紙が記録部の下流側から記録部の上流側の搬送路に接続された反転搬送路を通って再び記録部へ送られ、そして、他方の面に画像が記録された後に排出される。上記搬送路や上記反転搬送路は、ガイド部材によって形成される。ガイド部材は、幅方向に隔てられた一対の側板間に挟まれるように配置され、その両端部が側板に支持されることによって上記側板に固定される。なお、対向する一対の側板とこれらの間に横架されて側板同士を連結する連結部材とを有する連結機構として、特許文献１に記載のフレームが公知である。
【０００３】
搬送路を通って記録部へ向けて搬送された記録用紙に対して画像記録が行われる場合、画像記録前に記録用紙を画像記録開始位置に送るために、搬送路中の記録用紙の位置を高い精度で検知する必要がある。このため、従来より、図１０に示されるように、画像記録装置の内部には、一対の側板１４０によって支持されたガイド部材１４１と、ガイド部材１４１の幅方向中央部から突出して搬送路を交差する回転子１４２と、矢印１４４へ搬送される記録用紙によって回転子１４２が押されたときに、その動きを連動軸１４３を介して検知するためのセンサ１４５とが設けられている。センサ１４５は、搬送路を通る記録用紙に干渉しないように、搬送路の幅方向の端部から更に幅方向外側に配置されている。また、センサ１４５の取付座１４６は、部品点数を削減するため、ガイド部材１４１の一方端にガイド部材１４１と一体に設けられている。
【先行技術文献】
【特許文献】
【０００４】
【特許文献１】特開２００８−２８９８８号公報
【発明の概要】
【発明が解決しようとする課題】
【０００５】
しかしながら、一方端にセンサ１４５の取付座１４６が一体に形成されたガイド部材１４１は、搬送路の幅よりも長い形状となる。そのため、その両端を一対の側板１４０で支持する従来の支持機構では、ガイド部材１４１が搬送中の記録用紙から受ける力に耐えきれず、ガイド部材１４１が撓む場合がある。特に、机上設置タイプのコンパクトな画像記録装置において両面記録機構が備えられている場合は、高さ寸法が制限されたスペース内で搬送路と反転搬送路とを高さ方向に重ねて設けなければならず、このため、ガイド部材１４１の高さや厚みを従来よりも薄くせざるを得ない。この場合、ガイド部材１４１が撓みやすくなる。ガイド部材１４１が撓むと、センサ１４５の取付座１４６の位置にズレが生じ、センサ１４５は、回転子１４２の動きを高精度に検知することができなくなる。
【０００６】
本発明は、上記問題に鑑みてなされたものであり、その目的は、センサの取付座の位置ズレを防止して、センサが記録媒体を高精度に検知することが可能な画像記録装置を提供することにある。
【課題を解決するための手段】
【０００７】
(1)  本発明の画像記録装置は、メインフレームと、ガイド部材と、支持部材と、センサとを具備する。メインフレームは、一対のサイドプレートとベースプレートとを有する。一対のサイドプレートは、互いに対向するように配置されている。ベースプレートは、上記サイドプレート間に設けられ、幅方向の両端部が上記サイドプレートに支持されている。ガイド部材は、上記サイドプレート間に設けられており、記録媒体が案内される案内経路を形成するものである。支持部材は、上記ガイド部材の幅方向の一方端よりも上記サイドプレートを幅方向外側へ越えた位置に設けられている。この支持部材は、サイドプレートに外側から固定されている。センサは、上記支持部材に設けられており、上記案内経路を通過する記録媒体を検知する。
【０００８】
このように、支持部材とガイド部材とが分離されて別部材として構成されているため、一対のサイドプレート間で支持されるガイド部材の幅が従来構造よりも短くなる。このため、ガイド部材の剛性が高くなり、記録媒体の搬送時や記録時の揺れなどに起因してガイド部材に力が加えられても、容易に撓まなくなる。また、支持部材がサイドプレートの幅方向外側に配置されており、しかもガイド部材とは異なるサイドプレートに固定されているため、仮にガイド部材が撓んだとしても、この撓みの影響を支持部材は受けない。そのため、支持部材に支持されたセンサの検知精度が低下することはない。
【０００９】
(2)  上記案内経路は、記録媒体に対して画像を記録する記録部の下側に設けられた用紙トレイの一方端から上方へ延びる湾曲状の第１経路を有する。この場合、上記ガイド部材は、上記第１経路の内側に設けられていることが好ましい。
【００１０】
このような構成では、ガイド部材は第１経路の内側のガイド面を形成する。第１経路が湾曲状に形成されているため、第１経路を記録媒体が搬送されたときに、搬送ローラなどの搬送手段による搬送力の一部が記録媒体を介してガイド面に付与されやすい。したがって、このような構成に本発明は好適である。
【００１１】
(3)  また、上記案内経路は、上記第１経路の終端から上記記録部側へ延びる直線状の第２経路、及びこの第２経路に設けられた分岐点から上記第２経路と上記用紙トレイとの間を通って上記第１経路の途中に設けられた合流点に接続された第３経路を有する。この場合、上記ガイド部材は、上記第１経路において上記合流点から上記第１経路の終端へ向かう経路の内側に設けられていることが好ましい。
【００１２】
このような構成では、第３経路から第１経路に続く経路の湾曲率が大きくなり、そのため、ガイド部材が記録媒体から受ける搬送力が大きくなる。したがって、このような構成に本発明は好適である。
【００１３】
(4)  上記メインフレームは、上記ベースプレートの上側に設けられ、幅方向の両端部が上記サイドプレートに支持されたサブプレートを有する。上記ガイド部材は、記録媒体を案内するガイド面の反対側の端部が上記サブプレートに固定されている。
【００１４】
(5)  本発明の画像記録装置は、支持プレートを更に備える。支持プレートは、上記サイドプレートの上端で支持されている。支持プレートは、記録媒体に対して画像を記録する記録部を上記サイドプレートよりも幅方向外側まで移動可能に支持する。上記支持部材は、上記支持プレートにおいて上記サイドプレートを幅方向外側へ越えた部分に固定されている。
【００１５】
(6)  本発明の画像記録装置は、支軸と、第１検出子と、第２検出子と、を更に具備する。支軸は、上記ガイド部材において記録媒体を案内するガイド面の反対側で回動可能に支持され、上記支持部材側の端部が上記サイドプレートを越えて幅方向外側へ延出されている。第１検出子は、上記ガイド部材の幅方向中央部から上記案内経路へ突出するように上記支軸に固定されている。第２検出子は、上記支軸の上記支持部材側の端部に固定され、上記センサの検知領域を通過可能に配置されている。
【図面の簡単な説明】
【００１６】
【図１】複合機１０の外観を示す斜視図であって、（Ａ）にはトレイガイド４５が内部に収容された状態が示されており、（Ｂ）にはトレイガイド４５が手前側に引き出された状態が示されている。
【図２】プリンタ部１５の構成を模式的に示す模式断面図である。
【図３】プリンタ部１５及び搬送装置３０の構成を示す斜視図である。
【図４】搬送装置３０の構成を示す斜視図である。
【図５】リンクプレート５０の姿勢を示す側面図であって、（Ａ）にはリンクプレート５０が初期姿勢にある状態が示されており、（Ｂ）にはリンクプレート５０が拡張姿勢にある状態が示されている。
【図６】メインフレーム６５の構成を示す斜視図である。
【図７】メインフレーム６５の構成を示す分解斜視図である。
【図８】検知機構５２の構成を示す斜視図である。
【図９】センサホルダ９２の構成を示す拡大斜視図である。
【図１０】従来のガイド部材及びセンサ支持機構の構成を模式的に示す斜視図である。
【発明を実施するための形態】
【００１７】
以下、適宜図面を参照して本発明の一実施形態に係る複合機１０について説明する。なお、以下の説明においては、複合機１０が使用可能に設置された状態（図１の状態）を基準として複合機１０の上下方向７が定義され、操作パネル１６が設けられている側を手前側（正面）として前後方向８が定義され、複合機１０を手前側（正面）から見て左右方向９が定義されている。
【００１８】
［複合機１０の概要］
図１に示されるように、複合機１０は、プリンタ筐体１１と、このプリンタ筐体１１の上側に設けられたスキャナ筐体１２と、このスキャナ筐体１２の上側に設けられた原稿カバー１３と、ＬＣＤ１６Ａを有する操作パネル１６とを備える。原稿カバー１３は、スキャナ筐体１２に開閉可能に支持され、開閉されることでスキャナ筐体１２と共に原稿を挟む。原稿の画像は、スキャナ筐体１２に収容されたフラットベッドスキャナなどの不図示のスキャナにより走査されて取り込まれる。
【００１９】
プリンタ筐体１１は、給紙カセット１４（本発明の用紙トレイの一例）が収容される収容空間１８を下部に備える。収容空間１８は、プリンタ筐体１１の前面に形成された開口１７から後方奥部に渡って設けられている。給紙カセット１４は収容空間１８において前後方向８へ挿抜可能に支持されている。給紙カセット１４に所謂普通紙やハガキ、光沢紙などの記録用紙（本発明の記録媒体の一例）が複数枚保持される。収容空間１８の上方にトレイガイド４５が設けられている。トレイガイド４５の上面でディスクトレイ４８が前後方向８へ挿抜可能に支持される。ディスクトレイ４８は、例えばＣＤやＤＶＤなどのディスクメディアを保持可能なものであり、厚さ３ｍｍ程度の平板状に形成されている。
【００２０】
プリンタ部１５や上述のスキャナの制御は制御部（不図示）により行われる。制御部は、ＣＰＵやＲＯＭなどにより構成されたものであり、図１の操作パネル１６やパソコンなどの外部機器から入力された信号やデータに基づいてプリンタ部１５を駆動させて、画像を記録媒体に記録させる。また、制御部は、搬送路における記録媒体の有無やその搬送位置を検知する処理も行う。
【００２１】
［プリンタ部１５］
プリンタ部１５は、搬送される記録媒体に画像を記録するものであり、図２に示されるように、主として、記録用紙１９を保持する給紙カセット１４と、記録用紙１９及びディスクトレイ４８を搬送する搬送装置３０と、記録用紙１９及びディスクトレイ４８上のディスクメディアに対して画像記録を行う記録部２０（本発明の記録部の一例）と、搬送装置３０や記録部２０などの各部材を支持するメインフレーム６５（本発明のメインフレームの一例）を備える。
【００２２】
［記録部２０］
記録部２０は、給紙カセット１４の後部の上方に配置された記録ヘッド２１と、記録ヘッド２１を保持するキャリッジ２３と、キャリッジ駆動用のキャリッジモータ及びその駆動力をキャリッジ２３に伝達する駆動伝達機構を含む駆動部と、を備える。
【００２３】
［記録ヘッド２１］
記録ヘッド２１は、吐出口を有するノズルを備える。このノズルが圧電素子などにより変形されることで吐出口からインク滴を下方のプラテン２２に向けて吐出する。また、記録ヘッド２１はキャリッジモータの駆動力を受けて左右方向９へ往復動される。後述されるように、記録用紙１９及びディスクトレイ４８上のディスクメディアは、プラテン２２上を前方に向かって搬送される過程において、左右方向９へ往復動する記録ヘッド２１からインクが吐出されることにより、記録用紙１９及びディスクメディアの表面のほぼ全面に画像を記録し得る。
【００２４】
［メインフレーム６５］
図３に示されるように、メインフレーム６５は、プリンタ部１５の後方側に設けられている。図６及び図７に示されるように、メインフレーム６５は、一対の第１フレーム２５（本発明のサイドプレートの一例）と、ベースフレーム３９（本発明のベースプレートの一例）と、サブフレーム２６（本発明のサブプレートの一例）と、第２フレーム７０とを有する。
【００２５】
［第１フレーム２５］
図６及び図７に示されるように、第１フレーム２５は、左右方向９へ所定間隔を隔てられた状態で互いに対向するように設けられている。第１フレーム２５は、前後方向８に長い概ね長方形状の金属板で形成されている。第１フレーム２５間にベースフレーム３９が設けられており、ベースフレーム３９の両端が第１フレーム２５に支持されている。例えば、ベースフレーム３９の両端それぞれに突起が設けられており、第１フレーム２５の下端に切り欠きが形成されており、ベースフレーム３９の上記突起が１フレーム２５の上記切り欠きに嵌め入れられることによって、ベースフレーム３９が第１フレーム２５に支持されると共に第１フレーム２５に対して固定される。
【００２６】
メインフレーム６５にレール６６（本発明の支持プレートの一例）が取り付けられている。レール６６は、左右方向９に長い形状である。レール６６は、第１フレーム２５の後方端部の上端で支持されている。レール６６の後方には、レール６６と同様に構成された別のレール（不図示）が設けられている。レール６６は、キャリッジ２３の前方端を左右方向９へ摺動可能に支持し、もう一つのレールは、キャリッジ２３の後方端を左右方向９へ摺動可能に支持する。この支持機構によって、キャリッジ２３とともに記録ヘッド２１が左右方向９へスライド可能に支持される。レール６６の両端は、第１フレーム２５を左右方向９の外側へ越えた位置まで延出されている。すなわち、レール６６の左端は左側の第１プレート２５よりも左方外側まで達しており、レール６６の右端は右側の第１プレート２５よりも右方外側まで達している。このため、キャリッジ２３は、第１フレーム２５間のみならず、第１フレーム２５よりも左右方向９の外側まで移動可能である。
【００２７】
図３に示されるように、第１フレーム２５それぞれに挟まれた空間にプラテン２２が配置されている。プラテン２２の両端は、後述されるように、第１フレーム２５に支持されている。第１フレーム２５それぞれには、後述の排出ローラ３６Ｂの支軸３６Ｃが通される長孔２５Ａと、スイッチバックローラ３７Ｂ（図４参照）の支軸３７Ｃが通される長孔２５Ｂとがそれぞれ設けられている。これらの長孔２５Ａ，２５Ｂは、上下方向７に長い形状に形成され、支軸３６Ｃ，３７Ｃが上下方向７へ移動可能な構成を有する。
【００２８】
［ベースフレーム３９］
図６及び図７に示されるように、ベースフレーム３９は、左右方向９に長い概ね長方形状の金属板で形成されている。ベースフレーム３９の左右方向９の中央付近に開口３９Ａが形成されている。この開口３９Ａにおける左右方向９の両縁部に軸受け３９Ｂが設けられている。この軸受け３９Ｂに、後述の給紙ローラ４１の支軸４２（図２参照）が回動可能に支持される。ベースフレーム３９の前後方向８の両縁部は上方へ屈曲されており、その屈曲部の両端部に、第１フレーム２５に形成された切り欠きに嵌め入れられる上述の突起が設けられている。
【００２９】
［サブフレーム２６］
サブフレーム２６は、ベースフレーム３９の上側で第１フレーム２５間に設けられている。サブフレーム２６は、左右方向９に長い金属板で形成されている。サブフレーム２６の両端が第１フレーム２５に支持されている。例えば、サブフレーム２６の両端それぞれに突起が設けられており、第１フレーム２５に切り欠きが形成されており、サブフレーム２６の上記突起が１フレーム２５の上記切り欠きに嵌め入れられることによって、サブフレーム２６が第１フレーム２５に支持されると共に第１フレーム２５に対して固定される。後述するように、サブフレーム２６にローラホルダ７４及び内側ガイド部材３２Ａ２が取り付けられる。
【００３０】
［第２フレーム７０］
図３に示されるように、第２フレーム７０は、第１フレーム２５の前方に設けられている。詳細には、左右方向９へ所定間隔を隔てられた状態で互いに対向するように一対の第２フレーム７０が設けられている。第２フレーム７０は、合成樹脂製の板部材で形成されており、プリンタ筐体１１に固定されている。第２フレーム７０それぞれに挟まれた空間にトレイガイド４５が配置されている。トレイガイド４５の両端は、第２フレーム７０に支持されている。第２フレーム７０それぞれには、トレイガイド４５が備える後述の支持突起４６が通される前後一対のガイド溝孔７１，７２がそれぞれ設けられている。前側のガイド溝孔７１は、上下方向７に沿うように形成された直線状部７１Ａと、直線状部７１Ａの下端から前方へ向かって斜め下方に傾斜する傾斜部７１Ｂと、を備える。後側のガイド溝孔７２は、前方に向かって斜め下方に傾斜し、且つ、その下端がガイド溝孔７１の傾斜部７１Ｂの下端と同じ高さ位置になるように形成されている。左右一対の第２フレーム７０は、ガイド溝孔７１の直線状部７１Ａに支持突起４６が配置された状態でトレイガイド４５を前後方向８へ移動しないようにロックし、支持突起４６が傾斜部７１Ｂに配置された状態でトレイガイド４５を前後方向８へ移動可能に支持している。
【００３１】
［搬送装置３０］
図４に示されるように、搬送装置３０は、給紙ローラ４１（図２参照）と、搬送ローラ対３５と、排出ローラ対３６と、スイッチバックローラ対３７と、両面ローラ対３８と、搬送路３１（本発明の案内経路の一例、図２参照）を形成する後述の各部材と、搬送路３１を拡張させるためのリンクプレート５０と、トレイガイド４５と、搬送路３１内の記録媒体やディスクトレイ４８（図１参照）の搬送位置などを検知するための検知機構５２と、回転規制機構８０と、給紙ローラ４１を駆動させる給紙用モータ（不図示）と、上記各ローラ対を駆動させる搬送用モータ（不図示）と、を備える。
【００３２】
［給紙ローラ４１］
給紙ローラ４１は、給紙カセット１４に載置された記録用紙１９を搬送路３１に送り出すものである。図２に示されるように、給紙ローラ４１は、給紙カセット１４の後部の上方に配置され、支軸４２を中心に回動するアーム４３の先端で回転可能に支持されている。支軸４２は、ベースフレーム３９の軸受け３９Ｂ（図６参照）にその中心軸を中心に回転可能に支持されている。給紙用モータ（不図示）の駆動力が支軸４２に伝達されると、支軸４２から複数の伝達ギア４４を介して伝達された駆動力によって給紙ローラ４１が回転する。給紙ローラ４１が記録用紙１９に接触した状態で回転されることにより、記録用紙１９が搬送路３１へ送り出される。
【００３３】
［搬送路３１］
図２に示されるように、搬送路３１は、第１搬送路３２（本発明の第１経路の一例）と、第２搬送路３３（本発明の第２経路の一例）と、反転搬送路３４（本発明の第３経路の一例）とにより構成されている。第１搬送路３２は、給紙カセット１４の後端部から上方へ延びてプラテン２２の後方に達する湾曲状に形成されている。つまり、第１搬送路３２は、一端が給紙カセット１４の後端部の上に位置し他端がプラテン２２の後方に位置する断面弧状に形成されている。第２搬送路３３は、第１搬送路３２の終端から記録部２０側へ延びてプラテン２２と記録ヘッド２１との間を通過する断面直線状に形成されている。反転搬送路３４は、プラテン２２の下方を通過し第１搬送路３２と第２搬送路３３とを繋ぐ直線状に形成されている。
【００３４】
［第１搬送路３２］
第１搬送路３２は、それぞれ弧状に形成された内側ガイド部材３２Ａ１と、内側ガイド部材３２Ａ２（本発明のガイド部材の一例）と、外側ガイド部材３２Ｂとで形成されている。内側ガイド部材３２Ａ１，３２Ａ２と外側ガイド部材３２Ｂとは、径方向に互いに対向するように配置されている。内側ガイド部材３２Ａ１は、第１搬送路３２の下側のガイド面を形成し、内側ガイド部材３２Ａ２は、第１搬送路３２の上側のガイド面を形成している。内側ガイド部材３２Ａ１と内側ガイド部材３２Ａ２との間には、反転搬送路３４の一端が接続する接続口３４Ａ（本発明の合流点に相当）が設けられている。
【００３５】
図７に示されるように、内側ガイド部材３２Ａ２は、サブフレーム２６の後端に固定されている。内側ガイド部材３２Ａ２は、断面がＣ字状に形成された左右方向９に長い形状である。内側ガイド部材３２Ａ２の前方端に複数の爪６７が設けられている。サブフレーム２６の後端には、垂直上方へ起立する垂直壁２６Ａが設けられており、上述の爪６７が垂直壁２６Ａの上端や垂直壁２６Ａに形成された切り欠きに係合することにより、内側ガイド部材３２Ａ２がサブフレーム２６に固定されている。
【００３６】
［第２搬送路３３］
第２搬送路３３は、記録ヘッド２１と、記録ヘッド２１に対向して配置されたプラテン２２とによって形成された直線状の経路である。第２搬送路３３には、給紙カセット１４からの記録用紙１９のみならず、開口１７から挿入されたディスクトレイ４８も通る。記録部２０よりも後方側、言い換えると、記録時に記録媒体を搬送する方向の上流側には、第２搬送路３３を挟むようにして一対の搬送ローラ対３５が設けられている。また、記録部２０よりも前方には、第２搬送路３３を挟むようにして一対の排出ローラ対３６が設けられている。また、排出ローラ対３６の前方にはスイッチバックローラ対３７が設けられている。スイッチバックローラ対３７と排出ローラ対３６との間に反転搬送路３４の後方側の端部が接続される接続口３４Ｂ（本発明の分岐点に相当）が設けられている。第２搬送路３３は、搬送ローラ対３５からスイッチバックローラ対３７に渡って直線状に形成されている。
【００３７】
［反転搬送路３４］
反転搬送路３４は、記録用紙１９の両面印刷用であって、プラテン２２の下側に配置されたガイド部材３４Ｃにより形成されている。反転搬送路３４の後方側の端部は、第２搬送路３３に設けられた接続口３４Ｂに接続されており、後方側の端部は、第１搬送路３２に設けられた接続口３４Ａに接続されている。反転搬送路３４にローラ面が露出するように、両面ローラ対３８がガイド部材３４Ｃに設けられている。両面ローラ対３８は、搬送用モータの駆動力を受けて回転駆動される。給紙カセット１４から送り出された記録用紙１９は、第１搬送路３２及び第２搬送路３３によって案内されて記録部２０へ到達し、その後、第２搬送路３３を抜けて排紙部１４Ａに排出される。
【００３８】
［搬送ローラ対３５］
図３に示されるように、搬送ローラ対３５は、上側の搬送ローラ３５Ａと下側の押さえローラ３５Ｂとで構成されている。上側の搬送ローラ３５Ａは、第１フレーム２５にその中心軸を中心に回転可能に支持されており、搬送用モータ（不図示）の駆動力を受けて回転される。下側の押さえローラ３５Ｂは、後述のローラホルダ７４にその中心軸を中心に回転可能に支持されている。
【００３９】
［ローラホルダ７４］
図６に示されるように、ローラホルダ７４は、メインフレーム６５の後方側に設けられている。ローラホルダ７４は、プラテン２２とは別部材として構成されている。ローラホルダ７４は、４つのブロックが左右方向９に連結されることにより、左右方向９に長い形状となっている。各ブロックの前方上端部に押さえローラ３５Ｂが回転可能に支持されている。本実施形態では、ローラホルダ７４は、左右方向９に沿って一直線状に配置された８個の押さえローラ３５Ｂを支持している。ローラホルダ７４の後方上端部に複数の支軸（不図示）が設けられている。この支軸が、サブフレーム２６に設けられた軸受け溝２６Ｂ（図７参照）に軸支されている。この構成により、ローラホルダ７４は、支軸を中心に回動可能である。より詳細には、ローラホルダ７４は、押さえローラ３５Ｂが上側の搬送ローラ３５Ａに接触する第１姿勢と、押さえローラ３５Ｂが搬送ローラ３５Ａから下方へ離間した第２姿勢との間で支軸を中心に回動可能である。
【００４０】
図６に示されるように、ローラホルダ７４とサブフレーム２６との間にコイルバネ７８が設けられている。コイルバネ７８は、押さえローラ３５Ｂ寄りの位置に伸縮方向が上下方向７となるように設けられている。コイルバネ７８は、設定された付勢力を搬送ローラ３５Ａに付与するように、予め収縮された状態でローラホルダ７４とサブフレーム２６との間に設けられる。これにより、コイルバネ７８が伸びようとする上向きの付勢力がローラホルダ７４に付与されてローラホルダ７４は上記第１姿勢を維持する。コイルバネ７８の上向き付勢力は、ローラホルダ７４を介して押さえローラ３５Ｂに作用し、押さえローラ３５Ｂは搬送ローラ３５Ａに上記付勢力で圧接する。本実施形態では、モータなどの駆動源からの駆動力を受けることにより、上記付勢力に抗してローラホルダ７４の前端部が下方に下げられると、ローラホルダ７４は第１姿勢から第２姿勢に移動し、押さえローラ３５Ｂも搬送ローラ３５Ａから離れて下方へ移動するように構成されている。
【００４１】
［検知機構５２］
検知機構５２は、搬送路３１における記録用紙１９の搬送位置やディスクトレイ４８の搬送位置を検知するためのものである。この検知機構５２は、給紙カセット１４から給紙された記録用紙１９に画像を記録する通常記録モードのときに記録用紙１９の搬送位置を検知し、ディスクトレイ４８上のディスクメディアに画像を記録するレーベル記録モードのときにディスクトレイ４８の搬送位置を検知する。検知機構５２は、図６に示されるように、ローラホルダ７４よりも後方に設けられており、内側ガイド部材３２Ａ２とローラホルダ７４との間に設けられている。検知機構５２は、光センサ６８（本発明のセンサの一例）と、回転軸５７（本発明の支軸の一例）と、回転子６７（本発明の第１検出子の一例）と、検出子５４（本発明の第１検出子の一例）とにより構成されている。
【００４２】
図８に示されるように、回転軸５７は、内側ガイド部材３２Ａ２の前方側、つまり記録用紙を案内するガイド面とは反対側に回転可能に支持されている。回転軸５７は、左右方向９の中央付近から左側へ延出されている。左側に配置された第１フレーム２５には、回転軸５７を挿通させる上下方向７に長い長孔９７（図６参照）が形成されている。回動軸５７は、長孔９７を通って左側の第１フレーム２５を越えて、内側ガイド部材３２Ａ２の左端部よりも外側の位置まで延出されている。
【００４３】
回転軸５７にアーム状の回転子６７が固定されている。内側ガイド部材３２Ａ２の左右方向９の中央部にスリット５９が形成されており、回転子６７は回転軸５７から上方へ突出し、スリット５９を通って内側ガイド部材３２Ａ２の内部から外部へ露出している。回転軸５７の左端に検出子５４が設けられている。検出子５４は、回転子６７と同方向へ突出している。回転子６７及び検出子５４は、回転軸５７に固定されている。したがって、回転子６７に回転方向の力が加えられると、検出子５４は回転子６７に連動して同方向に回転する。
【００４４】
［光センサ６８］
図９に示されるように、光センサ６８は、発光素子及び受光素子が対向配置された透過型のフォトインタラプタである。光センサ６８は、発光素子から出射された光を受光素子が受光し、その受光量に応じた電気信号（センサ信号）を出力する。発光素子及び受光素子は、光センサ６８の先端に配置されており、当該部分が光センサ６８のセンシング部６８Ａであり、発光素子から受光素子に至る光の通路（光路）がセンシング部６８Ａの検出可能位置である。光センサ６８は、センサホルダ９２（本発明の支持部材の一例）に固定されている。
【００４５】
センサホルダ９２は、左側の第１フレーム２５の外側面９８（図６参照）に取り付けられている。つまり、センサホルダ９２は、内側ガイド部材３２Ａ２の左端部よりも第１フレーム２５を更に左方向へ越えた位置に設けられている。第１フレーム２５に対するセンサホルダ９２の取付方法としては、例えば、外側面９８に取り付けられるセンサホルダ９２の取付面９２Ａに複数の突起９３が設けられており、第１フレーム２５に取付孔９４（図７参照）が形成されており、センサホルダ９２の突起９３が第１フレームの複数の取付孔９４に嵌め入れられることによって、センサホルダ９２が第１フレーム２５の外側面９８に固定される。また、センサホルダ９２は、レール６６の左端部６６Ａ（図６参照）、つまりレール６６において第１フレーム２５を左方向外側へ越えた部分の下面にも取り付けられている。レール６６に対するセンサホルダ９２の取付方法としては、例えば、左端部６６Ａに取り付けられるセンサホルダ９２の上部に複数の係合片９５が設けられており、レール６６の左端部６６Ａに複数の取付孔９６（図６参照）が形成されており、センサホルダ９２の係合片９５がレール６６の複数の取付孔９６に係合されることによって、センサホルダ９２がレール６６の左端部６６Ａに固定される。これにより、センサホルダ９２及びそれに固定された光センサ６８は、第１フレーム２５の外側面９８及びレール６６の左端部６６Ａに確実に固定される。
【００４６】
光センサ６８は、検出子５４の回動範囲にセンシング部６８Ａの光路が配置されるようにセンサホルダ９２に取り付けられている。本実施形態では、記録用紙１９やディスクトレイが搬送路３１に存在しないときは、検出子５４の先端部５４Ａがセンシング部６８Ａの光路に進入して光路を遮っている（図６参照）。このとき、光センサ６８からＬＯＷレベルのセンサ信号が出力される。複合機１０の制御部は、センサ信号がＬＯＷレベルのときに、先端部５４Ａがセンシング部６８Ａの光路に進入していると判定して、記録媒体が回転子６７に到達していないと判断する。また、記録用紙１９やディスクトレイが搬送路３１を案内されて回転子６７を押し倒すと、それに連動して検出子５４が回動し、その先端部５４Ａがセンシング部６８Ａの光路から退避する。このとき、光センサ６８からＨＩＧＨレベルのセンサ信号が出力される。制御部は、センサ信号がＬＯＷからＨＩＧＨに変化したときに、先端部５４Ａがセンシング部６８Ａの光路から退避したと判定し、記録用紙１９またはディスクトレイ４８が回転子６７に到達したと判断する。
【００４７】
［回転規制機構８０］
図８に示されるように、ねじりコイルバネ５８（以下「バネ５８」と略す。）が回転子６７に取り付けられている。バネ５８は、回転子６７が図示される姿勢から後方へ回動しようとする付勢力Ｆ１を回転子６７に付与している。回転軸５７の右端部には、付勢力Ｆ１による回転子６７の回動を規制する回転規制機構８０が取り付けられている。回転規制機構８０は、回転軸５７の右端部に連結される継ぎ手８３と、継ぎ手８３に固定された規制部材８１と、規制部材８１に取り付けられたねじりコイルバネ８２（以下「バネ８２」と略す。）とを有する。継ぎ手８３は、回転軸５７と同軸回転可能なように回転軸５７の右端部に連結されている。この継ぎ手８３は、回転子６７が図８に示される姿勢から前方へ回動しようとするのを許容し、後方へ回動しようとするのを規制するよう構成されている。
【００４８】
図８に示されるように、規制部材８１は、回転軸５７に対して垂直方向に突出するストッパー８５を有する。ストッパー８５は、規制部材８１から後方へ突出している。バネ８２は、バネ５８よりも大きい付勢力Ｆ２を規制部材８１に付与している。この付勢力Ｆ２によって規制部材８１はバネ５８の付勢方向へ回動しようとする。つまり、付勢力Ｆ２は、付勢力Ｆ１の方向と逆の方向へ作用している。ストッパー８５は、例えば内側ガイド部材３２Ａ２と係合することにより、回転子６７がスリット５９から上方へ垂直に突出した姿勢（図８参照）で保持するように、規制部材８１の回動を規制するものである。このうように構成されているため、各部材に付与される力の均衡がとれて、回転子６７は、図８に示される姿勢、つまり、回転軸５７から上方へ突出して第２搬送路３３を交差する姿勢を保持する。一方、回転子６７が記録用紙１９によって後方から前方へ押し付けられると、回転子６７は、バネ５８の付勢力Ｆ１に抗して前方へ倒れるように回動する。また、回転子６７がディスクトレイ４８によって前方から後方へ押し付けられると、回転子６７はバネ８２の付勢力Ｆ２に抗して後方へ倒れるように回動する。
【００４９】
［排出ローラ対３６］
図２に示されるように、排出ローラ対３６は、上側のピンチローラ３６Ａと下側の排出ローラ３６Ｂとで構成されている。上側のピンチローラ３６Ａは、第１フレーム２５などにその中心軸を中心に回転可能に支持されている。なお、図３及び図４ではピンチローラ３６Ａの図示は省略されている。
【００５０】
図３及び図４に示されるように、排出ローラ３６Ｂは、後述のリンクプレート５０に支持されてピンチローラ３６Ａに接触する接触姿勢と、この接触姿勢より下方の位置において第１フレーム２５に支持されてピンチローラ３６Ａから下方へ離間した離間姿勢と、の間で上下方向７に移動可能に設けられている。具体的には、排出ローラ３６Ｂの支軸３６Ｃは、第１フレーム２５に設けられた上述の長孔２５Ａに通されている。排出ローラ３６Ｂは、後述の第２バネ６２により上向きに付勢されている。したがって、排出ローラ３６Ｂに第２バネ６２の付勢力以外の外力が加えられなければ、排出ローラ３６Ｂは、第２バネ６２によって押圧されてピンチローラ３６Ａに圧接した状態を保持する。その状態で搬送用モータ（不図示）の駆動力を受けると、排出ローラ３６Ｂが回転し、それに従動してピンチローラ３６Ａも回転する。
【００５１】
［プラテン２２］
図４に示されるように、ローラホルダ７４の後方に板状のプラテン２２が設けられている。プラテン２２の前端部の左右両端部には、後方へ突出する左右一対の支持突起２２Ａが設けられている。支持突起２２Ａは、排出ローラ３６Ｂの支軸３６Ｃの上方を前方へ迫り出すように突出しており、支持突起２２Ａの下端が支軸３６Ｃに支持されている。つまり、プラテン２２は、排出ローラ３６Ｂの支軸３６Ｃによって前部が支持されている。したがって、排出ローラ３６Ｂが上下方向７へ移動すると、その移動に伴ってプラテン２２も同方向へ移動する。プラテン２２の後部も、後述されるように上下方向７に移動可能に設けられる。
【００５２】
プラテン２２の左右両端部の後部寄りには、後述の第１バネホルダ２７が取り付けられる取付部２２Ｂがそれぞれ設けられている。第１バネホルダ２７は、取付部２２Ｂの下方に配置されたホルダ部２７Ａと、このホルダ部２７Ａの前後両端部から上方の取付部２２Ｂに向かって突出する前後一対の取付片２７Ｂと、この取付片２７Ｂの先端部に設けられて取付部２２Ｂに引っ掛かる引掛爪２７Ｃと、を一体で備える。第１バネホルダ２７は、引掛爪２７Ｃが取付部２２Ｂに引っ掛かる位置を下限位置としてプラテン２２に対して上下方向７に移動する。第１バネホルダ２７のホルダ部２７Ａとプラテン２２の取付部２２Ｂとの間には第１バネ２８が配置されている。この第１バネ２８は、ホルダ部２７Ａに対して取付部２２Ｂを上向きに付勢する。ホルダ部２７Ａが後述のようにリンクプレート５０により支持されることで、プラテン２２の後部は第１バネ２８により上向きに付勢された状態で第１バネホルダ２７に支持される。後述のようにリンクプレート５０がユーザにより移動されて第１バネホルダ２７がリンクプレート５０による支持を失うと、プラテン２２の後部は、前部と共に自重により下がり、第１フレーム２５に支持される。プラテン２２の移動距離はディスクトレイ４８の厚み寸法（例えば３ｍｍ）とほぼ同じとなるように設定されている。従って、プラテン２２が下がった姿勢にあるときは、ユーザによって挿入されたディスクトレイ４８を第２搬送路３３に後方へ円滑に案内することができ、画像記録時は、搬送ローラ対３５及び排出ローラ対３６によってディスクトレイ４８を前方へ搬送することができる。
【００５３】
［スイッチバックローラ対３７］
プラテン２２の前方に配置されたスイッチバックローラ対３７は、図２に示されるように、上側のピンチローラ３７Ａと下側のスイッチバックローラ３７Ｂとで構成されている。上側のピンチローラ３７Ａは、第１フレーム２５などにその中心軸を中心に回転可能に支持されている。なお、図３及び図４では、ピンチローラ３７Ａの図示が省略されている。下側のスイッチバックローラ３７Ｂは、後述のリンクプレート５０にその中心軸を中心に回転可能に支持され、上述の駆動部により回転される。また、スイッチバックローラ３７Ｂは、上下方向７に移動可能に後述のリンクプレート５０に支持され、上側のピンチローラ３７Ａに接触した接触姿勢と、この接触姿勢の下方に位置する離間姿勢と、の間で上下方向７に沿って移動する。スイッチバックローラ３７Ｂの移動距離は、スイッチバックローラ３７Ｂとピンチローラ３７Ａとの離間寸法がディスクトレイ４８の厚み寸法（例えば３ｍｍ）よりも大きくなるように設定されている。
【００５４】
スイッチバックローラ３７Ｂの支軸３７Ｃは、各第１フレーム２５の長孔２５Ｂに左右両端部の一方がそれぞれ通され、図４に示される左右一対のねじりコイルばね６３の一端が当該両端部にそれぞれ当接する。このねじりコイルばね６３は、第１フレーム２５に中心部及び他端が支持され、上記一端により支軸３７Ｃを上向きに付勢する。ねじりコイルばね６３によって支軸３７Ｃが上向きに付勢されることにより、スイッチバックローラ３７Ｂは押圧されてピンチローラ３７Ａに圧接した状態を保持する。その状態で搬送用モータ１１３の駆動力を受けると、スイッチバックローラ３７Ｂが回転し、それに従動してピンチローラ３７Ａも回転する。スイッチバックローラ３７Ｂは、片面印刷のときに記録用紙１９を前方へ搬送することで記録用紙１９を給紙カセット１４に設けられた排紙部１４Ａ（図２参照）に排出する。また、両面印刷のときは、一旦前方へ送った記録用紙１９を後方へ搬送することで記録用紙１９を反転搬送路３４に進入させる。反転搬送路３４に進入した記録用紙１９は、第１搬送路３２から第２搬送路３３に戻され、表裏が反転した状態でプラテン２２上を通過し、裏面に画像が記録される。
【００５５】
［トレイガイド４５］
図３に示されるように、トレイガイド４５は、厚み方向を上下方向７とする板状に形成され、スイッチバックローラ３７Ｂの前方に配置されている。トレイガイド４５の左右側面からは、前後一対の支持突起４６がそれぞれ突出している。各支持突起４６は、第２フレーム７０に設けられた上述のガイド溝孔７１、７２にそれぞれ通されている。トレイガイド４５の前端部４５Ａは、プリンタ筐体１１に設けられた開口１７から外部に露出している（図１（Ａ）参照）。トレイガイド４５の前端部４５Ａがユーザによって押し下げられると、支持突起４６が直線状部７１Ａから傾斜部７１Ｂに移動し、前後方向８のロックが解除される。そして、ユーザによってトレイガイド４５が前方へ引き出されると、ディスクトレイ４８をトレイガイド４５の上面に載置可能な状態となる。また、トレイガイド４５は、以下に説明されるリンクプレート５０と連結され、リンクプレート５０を前後方向８に沿って移動させる機能を有する。
【００５６】
［リンクプレート５０］
図４に示されるように、リンクプレート５０は、左右方向９を厚み方向とする板状にそれぞれ形成された左右一対の基部５１を備える。各基部５１は、左右方向９においてプラテン２２と第１フレーム２５との間にそれぞれ配置され、第１フレーム２５により前後方向８に移動可能に支持され、また、前端部がトレイガイド４５に連結され、図５（Ａ）に示されるような後方側の初期姿勢と、図５（Ｂ）に示されるような初期姿勢よりも前方側の拡張姿勢と、の間で前後方向８に移動可能な構成を有する。本実施形態では、トレイガイド４５とリンクプレート５０とが連結されているため、トレイガイド４５の引き出し動作に連動して、リンクプレート５０が初期姿勢から拡張姿勢に移動する。
【００５７】
図４及び図５に示されるように、左右一対の基部５１の前部には、スイッチバックローラ３７Ｂの支軸３７Ｃの左右方向９の端部が通されるガイド溝孔５３がそれぞれ設けられている。ガイド溝孔５３は、上方に開放された開放部５３Ａと、この開放部５３Ａの後方に設けられた傾斜部５３Ｂと、この傾斜部５３Ｂの後方に設けられた直線状部５３Ｃと、を備える。傾斜部５３Ｂの上側の周面である傾斜面５３Ｄは、後方に向かうに従って下がるように傾斜する。傾斜面５３Ｄは、例えば、１乃至複数の平面や曲面により形成される。本実施形態では、傾斜面５３Ｄは、ほぼ一の平面で形成されている。直線状部５３Ｃは、傾斜部５３Ｂから後方に向かって直線状に延びる。ガイド溝孔５３は、図５（Ａ）に示されるように、リンクプレート５０が後方の初期姿勢にあるときにスイッチバックローラ３７Ｂが傾斜部５３Ｂの前端部にある位置に設けられている。リンクプレート５０が後方の初期姿勢にあるときは、上述のねじりコイルばね６３により上向きに付勢されたスイッチバックローラ３７Ｂは、ピンチローラ３７Ａ及び上側の傾斜面５３Ｄに押圧される。リンクプレート５０がトレイガイド４５と共に後方の初期姿勢のから前方に向かって移動すると、ねじりコイルばね６３により傾斜面５３Ｄに押圧されたスイッチバックローラ３７Ｂは、当該傾斜面５３Ｄに摺接しながら押し下げられ、図５（Ｂ）に示されるように、直線状部５３Ｃに至る。つまり、スイッチバックローラ３７Ｂは、接触姿勢から離間姿勢に姿勢変化する。
【００５８】
各基部５１の後部には、上方に開放された逆Ｔ字状の蟻溝５５がそれぞれ設けられている。蟻溝５５は、リンクプレート５０が初期姿勢にあるときに排出ローラ３６Ｂの支軸３６Ｃの真下となる位置に設けられている。各蟻溝５５には、第２バネホルダ６１がそれぞれ収容される。第２バネホルダ６１は、蟻溝５５の上部に配置されたホルダ部６１Ａと、このホルダ部６１Ａの前後両端部から下方に向かってそれぞれ突出する前後一対の取付片６１Ｂと、この取付片６１Ｂの下端部に設けられ蟻溝５５の下部の周壁に引っ掛かる引掛爪６１Ｃと、を一体に備える。第２バネホルダ６１は、引掛爪６１Ｃが蟻溝５５の周壁に引っ掛かる位置を上限位置として基部５１に対して上下方向７に移動する。蟻溝５５の上部に配置されたホルダ部６１Ａと蟻溝５５の内底面（下面）との間には、第２バネ６２が配置されている。この第２バネ６２により第２バネホルダ６１は基部５１に対して上向きに付勢される。図５（Ａ）に示されるように、リンクプレート５０が初期姿勢にある場合において、第２バネホルダ６１のホルダ部６１Ａの上面には排出ローラ３６Ｂの支軸３６Ｃが接触し、第２バネホルダ６１は上限位置よりも下方に位置する。このとき、排出ローラ３６Ｂは、第２バネホルダ６１を介して第２バネ６２により上向きに付勢され、ピンチローラ３６Ａに接触した接触姿勢となる。
【００５９】
上述のように、第２バネホルダ６１は、リンクプレート５０の基部５１に取り付けられるから、基部５１と一体で前後方向８にスライドする。ここに、第２バネホルダ６１のホルダ部６１Ａの後部には、後方に向かうに従って下がる傾斜面６１Ｄが設けられている。初期姿勢にあるリンクプレート５０がユーザによって前方へ向かって移動されると、排出ローラ３６Ｂの支軸３６Ｃは、傾斜面６１Ｄを滑って、図５（Ｂ）に示されるように、第２バネホルダ６１から外れる。第２バネホルダ６１による支持を失った支軸３６Ｃは、自重により下方に下がり、第１フレーム２５に支持される。
【００６０】
また、リンクプレート５０は、各基部５１の後端から後方に向かって延びる左右一対の支持片５６を備える。この支持片５６の後端部には、図５（Ａ）に示されるように、リンクプレート５０が初期姿勢にある場合においてプラテン２２が備える第１バネホルダ２７のホルダ部２７Ａの下面に接触する支持凸部５６Ａが設けられている。つまり、リンクプレート５０は、支持片５６により、第１バネホルダ２７を介してプラテン２２の後部を支持する。支持片５６の支持凸部５６Ａの後部には、傾斜面５６Ｂが設けられている。この傾斜面５６Ｂは、後方に向かうに従って下がるように傾斜する。リンクプレート５０が初期姿勢から前方へ向かって移動されると、第１バネホルダ２７は、傾斜面５６Ｂを滑りながら下方に移動し、図５（Ｂ）に示されるように、支持凸部５６Ａから外れる。第１バネホルダ２７が支持凸部５６Ａから外れることで、プラテン２２は自重により下方へ下がった姿勢となる。
【００６１】
［本発明の効果］
上述のように、センサホルダ９２と内側ガイド部材３２Ａ２とが別部材として構成されているため、メインフレーム６５における第１フレーム２５間に内側ガイド部材３２Ａ２を配置し、第１フレーム２５の外側面９８にセンサホルダ９２を配置するレイアウトを採用することが可能となる。また、このようなレイアウトにすることにより、記録媒体の搬送時に加えられる力によって内側ガイド部材３２Ａ２が撓んでも、センサホルダ９２は撓みの影響を受けない。そのため、センサホルダ９２の位置ズレが生じるで支持された距離を搬送路３１の幅長さに対応する長さにすることができる。このため、センサホルダ９２の位置ズレが生じないため、センサホルダ９２に支持されたセンサ６８の検知精度が低下することはない。また、センサホルダ９２を第１フレーム２５とレール６６とに固定することができ、センサホルダ９２の固定強度が向上する。
【００６２】
なお、本実施形態では、センサの一例として光センサ６８を使用した例が説明されたが、光センサ６８に代えて反射型のセンサや、磁気センサや接触式のセンサなどを用いることも可能である。また、上述の実施形態では、反転搬送路３４を備えた例が説明されたが、反転搬送路３４を備えていない構成にも本発明は適用可能である。
【符号の説明】
【００６３】
１０・・・複合機（画像記録装置）
１５・・・プリンタ部
１９・・・記録用紙
２０・・・記録部
３０・・・搬送装置
３２・・・第１搬送路（第１経路）
３３・・・第２搬送路（第２経路）
３４・・・反転搬送路（第３経路）
３５・・・搬送ローラ対
４５・・・トレイガイド
４８・・・ディスクトレイ
５０・・・リンクプレート
５４・・・検出子（第２検出子）
６７・・・回転子（第１検出子）
６８・・・光センサ（センサ）
７４・・・ローラホルダ
８０・・・回転規制機構
９２・・・センサホルダ（支持部材）
【図１】
2012076270.tif 000003
【図２】
2012076270.tif 000004
【図３】
2012076270.tif 000005
【図４】
2012076270.tif 000006
【図５】
2012076270.tif 000007
【図６】
2012076270.tif 000008
【図７】
2012076270.tif 000009
【図８】
2012076270.tif 000010
【図９】
2012076270.tif 000011
【図１０】
2012076270.tif 000012